Podtech/llm-jp-corpus-v4-ja_patent huggingface dataset:
(57)【要約】【課題】シール部材の防水性を向上させる。【解決手段】シール部材は合成ゴムから成型され、円筒状のシール本体２２の側部に外径を小さくした円筒状の電線保持部２３が付設されている。シール本体２２と電線保持部２３の中心部には、電線を挿通するための貫通孔２５が設けられている。また、シール本体２２の外周及び貫通孔２５の内周には波形部２６、２７が形成されており、更にシール本体２２と電線保持部２３との境界部には、径方向に切り込んだ環状溝２８が設けられている。　接続端子８の位置関係からシール本体２２の偏芯が余儀なくされた場合でも、環状溝２８の存在のためにシール本体２２は電線保持部２３に対して屈曲が可能となり、ハウジングのシール部材保持孔５ａのほぼ中心に位置させることができる。【選択図】図２
2004095564.tif 000002
【特許請求の範囲】
【請求項１】
　コネクタに導入する接続端子に付随した電線と前記コネクタとの間隙をシールするためのコネクタ用シール部材であり、大径のシール本体の軸線方向の少なくとも片側に前記シール本体よりも小さな外形を有する円筒状の電線保持部を付設し、該電線保持部と前記シール本体との間に環状溝を形成したことを特徴とするコネクタ用シール部材。
【発明の詳細な説明】
【技術分野】
【０００１】
　本発明は、コネクタの防水効果を高めたコネクタ用シール部材に関するものである。
【背景技術】
【０００２】
　従来から防水型コネクタにおいては、シール部材を用いて外部からの水の侵入を防止している。
【０００３】
　例えば図５に示すように、従来の一般的なシール部材１は合成ゴム等から成り、シール本体２に電線保持部３が付設されている。シール本体２、電線保持部３には電線を挿通するための貫通孔４が設けられており、シール本体２の周囲はシールのためにコネクタハウジング５の内壁に接する波形部６が設けられている。また、シール本体２の貫通孔４の電線と接する部分にも波形部７が形成されている。このシール部材１に接続端子８に接続した電線９を挿通し、更に電線保持部３はその周囲に接続端子８の電線圧着部１０を巻き付けるようにされており、巻き付けた電線圧着部１０が外ずれないように、電線保持部３の端部にフランジ部１１が設けられている。
【発明の開示】
【発明が解決しようとする課題】
【０００４】
　しかしながらこの防水型コネクタを例えば自動車用配線等に使用した場合に、高圧水による洗車等を行うと、必ずしも防水性が十分に確保されない問題点がある。
【０００５】
　例えば図５に示すように、ハウジング５の設計上の都合による接続端子８の位置の関係から、シール本体２の中心は位置すべき個所の中心と必ずしも一致しないことがあり、その場合にはシール本体２は偏芯を余儀なくされ、外部から水が浸入し易くなる。
【０００６】
　また、このような偏芯がない場合でも、図６に示すように電線９が側方に引っ張られた場合に、貫通孔４の波形部７と電線９との間に隙間が生じ、同様に水が浸入し易くなる。
【０００７】
　また、特許文献１のように、防水栓の一部に環状溝を設けたシール部材も知られているが、この環状溝は防水栓の半径方向、軸線方向への伸びを吸収するために形成されている。しかし、この環状溝は防水栓の端部に設けられており、その効果はさほど大きなものではない。
【０００８】
【特許文献１】特開平７−１１７７８号
【０００９】
　本発明の目的は、上述の問題点を解消し、シール本体と電線保持部との間を柔軟に接続するコネクタ用シール部材を提供することにある。
【課題を解決するための手段】
【００１０】
　上記目的を達成するための本発明に係るコネクタ用シール部材は、コネクタに導入する接続端子に付随した電線と前記コネクタとの間隙をシールするためのコネクタ用シール部材であり、大径のシール本体の軸線方向の少なくとも片側に前記シール本体よりも小さな外形を有する円筒状の電線保持部を付設し、該電線保持部と前記シール本体との間に環状溝を形成したことを特徴とする。
【発明の効果】
【００１１】
　本発明に係るコネクタ用シール部材によれば、シール本体と電線保持部との間に環状溝を設けたためにシール本体と電線保持部との間が柔軟に接続され、電線保持部が動いてもシール本体は本来の位置にあり、シール効果が損なわれることがない。
【発明を実施するための最良の形態】
【００１２】
　本発明を図１〜図４に図示の実施例に基づいて詳細に説明する。
図１は第１の実施例を示し、シール部材２１は合成ゴムから成型され、円筒状のシール本体２２の軸線方向の側部に外径を小さくした円筒状の電線保持部２３が付設されており、電線保持部２３の端部にはフランジ部２４が設けられている。シール本体２２と電線保持部２３の中心部には、電線を挿通するための貫通孔２５が設けられている。また、シール本体２２の外周及び貫通孔２５の内周には波形部２６、２７が形成されており、更にシール本体２２と電線保持部２３との境界部には、径方向に切り込んだ環状溝２８が設けられている。
【００１３】
　この場合に、図５の従来例のようにシール本体２２の偏芯が余儀なくされた場合でも、環状溝２８の存在のためにシール本体２２は電線保持部２３に対して屈曲が可能となり、図２に示すようにシール本体２２をハウジング５の保持孔５ａのほぼ中心に位置させることができる。従って、外部からの浸水の虞れが極めて少なくなる。
【００１４】
　図３は第２の実施例を示し、シール本体２２の両側に左右対称に電線保持部２３、２３’が形成されている。そして、シール本体２２と電線保持部２３、２３’の間のそれぞれの境界部には環状溝２８、２８’が形成されている。
【００１５】
　この場合には、第１の実施例で説明した効果を有する上に、更に図４に示すように電線９が側方に引っ張られることにより、後方の電線保持部２３’が電線９に従って動いても、シール本体２２は環状溝２８’の存在のために殆ど動かずに済み、電線９と貫通孔２５の波形部２７の間に隙間が生じ難く、シール効果を損なうことはない。
【図面の簡単な説明】
【００１６】
【図１】第１の実施例のシール部材の断面図である。
【図２】ハウジングに挿着した状態のシール部材の断面図である。
【図３】第２の実施例のシール部材の断面図である。
【図４】ハウジングに挿着した状態のシール部材の断面図である。
【図５】ハウジングに挿着した状態の従来例のシール部材の説明図である。
【図６】ハウジングに挿着した状態の従来例のシール部材の説明図である。
【符号の説明】
【００１７】
　２１　シール部材
　２２　シール本体
　２３　電線保持部
　２５　貫通孔
　２６、２７　波形部
【図１】
2004095564.tif 000003
【図２】
2004095564.tif 000004
【図３】
2004095564.tif 000005
【図４】
2004095564.tif 000006
【図５】
2004095564.tif 000007
【図６】
2004095564.tif 000008
(57)【要約】【課題】本発明は、周辟温度が０度以下などの低温であっても、周辟温度２５度などの常温と変わらない光束を点灯初期から得ることにある．【解決手投】蛍光ランプ６１近傍の温度を検知する温度センサ８０を備え、前期温度が０℃以下である場合に前記温度センサ８０に応勤して点灯周波数を制御する補助回路７０を備えることにより、点灯初期の周波数を低減して光出力を増加させる。【選択図】　　　図１
2004095521.tif 000002
【特許請求の範囲】
【請求項１】
周波数可変形の高周波電圧を出力するインバータを備え、前記インバータ出力を受けて点灯する蛍光ランプを備え、前記蛍光ランプ近傍の温度を検知する温度センサを備え、前記温度が０℃以下である場合に前記温度センサに応動して前記周波数を制御する補助回路を備え、
前記補助回路は前記蛍光ランプの起動完了後であって該起動完了から１０分を経過しない特定期間に前記周波数を低減しそれにより前記蛍光ランプの光出力を増加（前記温度センサが応動しない場合に較べての光出力の増加）させる機能を具備することを特徴とする蛍光灯点灯装置。
【発明の詳細な説明】
【発明の属する技術分野】
周波数可変形の高周波点灯装置に関する。
【従来の技術】
従来の技術について図２を用いて説明する。図２の回路は、周波数可変形の高周波電圧を出力するインバータを備え、前記インバータ出力を受けて点灯する蛍光ランプを備え、前記インバータは直流電源１０を備え、順直列一対のスイッチング素子４１・４２を備え、前記スイッチング素子４１・４２をドライブするコントロールＩＣ３０を備え、前記コントロールＩＣ３０の出力周波数を制御する制御回路２０を備える。この回路において周囲温度が常温のときには図３（Ａ）に示すような光出力の立ち上がりを示すが、蛍光ランプ６・１の周囲温度が０度以下などの低温のときは、蛍光ランプ６１の特性により、光出力の立ち上がりが図３（Ｂ）に示すように遅くなり点灯初期に暗くなる場合がある。
【０００３】
【発明が解決しようとする課題】
本発明は、周囲温度が０度以下などの低温であっても、周囲温度２５度などの常温と変わらない光束を点灯初期から得ることにある。
【０００４】
【課題を解決するための手段】
蛍光ランプ近傍の温度、を検知する温度センサを備え、前期温度が０℃以下である場合に前記温度センサに応勤して点灯周波数を制御する補助回路を備えることにより、点灯初期の周波数を低減して光出力を増加させ、図３（Ａ）に示すような光出力の立ち上がりを得ることにある。
【０００５】
【発明の実施の形態】
周波数可変形の高周波電圧を出力するインバータを備え、前記インバータ出力を受けて点灯する蛍光ランプ６１を備え、前記蛍光ランプ６１近傍の温度を検知する温度センサ８０を備え、前記温度が０℃以下である場合に前記温度センサ８０に応勤して前記周波数を制御する補助回路７０を備え、前記インパークは直流電源１０を備え、順直列一対のスイッチング素子４１・４２を備え、前記スイッチング素子４１・４２をドライブするコントロールＩＣ３０を備え、前記コントロールＩＣ３０の出力周波数を制御する制御回路２０を備える。前記補助回路７０は、前記制御回路２０に接続される。この回路において、蛍光ランプの周囲温度が０℃以上の場合は、温度センサ８０が反応せずに点灯初期から通常の点灯周波数で動作する。
蛍光ランプ６１の周囲温度が０℃以下になると温度センサ８０が感知し、これに応動して点灯周波数を通常より低減するように制御する。このとき、補助回路７０により、ある程度の時間後（例えば３分後）には通常の点灯周波数に落ち着くように制御する。これにより、低温時には通常より光出力を増加させて、光束の立ち上がりが遅いのをカバーする。光来が安定する頃には（例えば＊＊＊写分後）には光出力は通常の点灯状態に落ち着いている。このように低由時の点灯初期にだけ光出力を増加させる回路となっている。このため、低温時においても図３（Ａ）に示すような光出力の立ち上がりを得ることができる。
【０００６】
【発明の効果】
本発明によれば低温の場合には、点灯初期に周波数を低減して光出力を増加させるので、点灯直後から常温と変わらない光出力を得ることができる。
【図面の簡単な説明】
【図１】本発明に係るインバータ装置の回路図である０
【図２】従来のインバ｝タ装置の回路図である．
【図３】光出力の立ち上がりを示す図である．
【符号の説明】
１０：直流電源、２０：制御，回路、３０：コントロールＩＣ、４１・４２：スイッチング素子、６１：蛍光ランプ、７０：補助回路、８０：温度センサ
【図１】
2004095521.tif 000003
【図２】
2004095521.tif 000004
【図３】
2004095521.tif 000005
(57)【要約】　　　（修正有）【課題】コンセントから素早く安全に、しかも簡単に抜き取る事が出来る一発押上コンセント具を提供する。【解説手段】コンセント本体１に押上ピン穴を設け、バネ７を取付けた押上ビン６を差し込むゴム板を設けた２次コンセント２を裏面に設けた。【選択図】　　　　図１
2004095523.tif 000002
【特許請求の範囲】
【請求項１】
コンセント本体（１）の差し込み口（５）の中央部に押上ピン穴（４）を設け、別に２次コンセント（２）を設け、ゆび穴（１０）を設ける、ゴム板（３）を内部に取り付ける、押上ピンにバネ（７）を設け、押上ピン穴（４）に、差し込む、ゴム板（３）を２次コンセント（２）に入れた、一
発押上コンセント具。
【発明の詳細な説明】
【０００１】
【発明の属する技術分野】
この発明は、コンセント本体から、プラグを抜き取る時に、力が入って大変で
ある、プラグに手を掛けずに、簡単抜けるコンセントに関するものである。
【０００２】
【従来の技術】
従来、プラグを抜く時は、両手でつかんで、抜いていた、プラグから手がはず
れて、線を引っ張る事がある。
【０００３】
【発明が解決しようとする課題】
これは次のような欠点があった。
イ、差し込みプラグ固い物があって、抜けが良くない、上下左右に動かして抜い
ていた。
ロ、移動用コンセントは片手では、抜き難い。
ハ、固いプラグから、線が抜け落ちて来た事もあった。
本発明は、以上の欠点を解決するためになされたものである。
【０００４】
【課題を解決するための手段】
コンセント本体（１）の差し込み口（５）の中央部に押上ピン穴（４）を設け、コンセント本体（１）の裏から、押上ピン（６）にバネ（７）を設けて、ピン穴（４）に差し込む、ゴム板（３）を２次コンセント（２）に取付け、本体（１）と合わせる、を設けた。
本発明は、以上の構成よりなる一発押上コンセント具である。
【０００５】
【発明の実施の形態】
以下、本発明の実施の形態を説明する。
（イ）コンセント本体（１）に押上ピン穴（４）を設ける。
（ロ）２次コンセント（２）に、押し穴（１０）を設け、ゴム板（３）を取り付ける。
（ハ）押上ピン（６）にバネ（７）を入れ、押上ピン穴（４）に差し込む、
（二）ゴム板（３）を付けた２次コンセント（２）を押上ピン（６）の頭からかぶせ、本体（１）と合わせて、固定する、
（ホ）プラスチックを使用し、安全を考えた物である。
本発明は、以上の構成よりなっている。
本発明を使用するときは、差し込む時は従来と同じ、むく時は横にしてゆび、で押し穴（１０）を押すだけである。
固いプラグの時は両手でつかんで、押すと簡単に飛び出るのである。
プラグも手を掛けて引っ張る事無く、安全に向き取る事ができる。
従来の用にプラグから線がぬける事もないのである。
【０００６】
【発明の効果】
本発明を使用することによって、プラグ又はコード、コンセントともどもを痛める事無く、気軽に又は安全に使用できる、高齢者や子供達でも簡単に出来るのである。
【図面の簡単な説明】
【図１】本発明の右面斜視図
【図２】本発明の左面の一部断面図
【図３】本発明の正面斜視図
【図４】本発明の裏一部断面図
【図５】本発明の使用状態を示す一部断面図
【符号の説明】
１　コンセント本体
２　２次コンセント
３　ゴム板
４　押上ピン穴
５　差し込み口
６　押上ピン
７　バネ
８　ピン頭
９　差し込みプラグ
１０押し穴
【図１】
2004095523.tif 000003
【図２】
2004095523.tif 000004
【図３】
2004095523.tif 000005
【図４】
2004095523.tif 000006
【図５】
2004095523.tif 000007
(57)【要約】【課題】片方の手だけでトイレットペーパー６の引き出しと切断ができ、次の使用時にトイレットペーパー切断端部１２が取りやすいようにする。【解決手段】トイレットペーパーの蓋部先端２に摩擦部５と上下可動カッター４からなるカッター本体１１を取り付けることによりペーパーカツト使用時はトイレットペーパー６を引き出し上に持ち上げるとトイレットペーパー６が蓋、押さえ板８の働きにより回転をストップさせると同時に摩擦部５でトイレットペーパー６が密着固定させられ上下可動カッター４で容易に片手で切断できる装置である。【選択図】　　図３
2004065604.tif 000002
【特許請求の範囲】
【請求項１】
従来のトイレットペーパーホルダーのどの蓋にも取り付ける事ができる装置で、ペーパーロールを片手で引出しそのまま片手で容易にカットでき、ワンハンドペーパーカッターで切断されたペーパロールの切り端部が蓋の外側に垂れ下がり次使用時に蓋を持ち上げる必要がないワンハンドペーパーカッターである。
【請求項２】
ペーパーロールの大きさによって蓋の締め具合が自動的に調整されることにより請求項１記載のペーパーカッターの切断時に蓋が上に持ち上がるのを阻止し、且つペーパーロールの回転を抑えペーパーの切断をし易くする機能を持ったワンハンドペーパーカッター付きトイレットペーパーホルダー装置具である。
【発明の詳細な説明】
【０００１】
【発明の属する技術分野】
本発明は、傷害者や高年齢者、体の自由が利かない人に大変便利な装置であり、健常者の方にも容易に片手でカットできるトイレットペーパーカッター付きトイレットペーパーホルダー装置具に関する。
【０００２】
【従来の技術】
従来のほとんどのトイレットペーパーホルダーは片手で蓋を持ち上げ、もう一方の片手でペーパーを引出し片手で蓋を押さえてペーパーロールの回転を止め蓋の先端部でペーパーを切る方法であるため、容易にカットするには両手が必要である。
【０００３】
また、次使用時にペーパーの切り端部が蓋の内側にあるため、蓋を持ち上げペーパーの切り端部を探しペーパーロールから切り端部を掴み引出す作業が０００１記載の人たちに取って苦難な労力をもたらしている。
【０００４】
【発明が解決しょうとする課題】
本発明は、従来のどのトイレットペーパーホルダーの蓋部に小スペースで簡単に取り付けられることを目的とする。
【０００５】
上記従来のペーパーホルダーはカット時の作業が必ず両手使用の必要があったし、切断後のペーパー切り端部が蓋の内側にあるため次使用時は蓋を上げて端部を探す作業が生じた、本発明は、片手だけでカットができ、且つ切断後のペーパー切り端部が蓋の外側に位置し、ペーパーロールより垂れ下がり次使用時に掴み易いようにする点にある。
【０００６】
【課題を解決するための手段】
上記課題を達成するため本発明は、蓋の先端部にカット部と摩擦部からなる　機能具を設けてペーパー使用時は、ペーパーを引出し上に持ち上げることによりペーパーが上下可動カッターを持ち上げ、且つペーパーが摩擦部に接することによりロールペーパーの回転をストップさせペーパーが片手で容易にカットできるようにした、さらにペーパーのカットが終えると上下可動カッターは元の場所に戻るように設計されているため安全である。
【０００７】
諸先輩方の発明は切断刃（カッター）がむき出しになっていたり、固定されていたため安全生に欠け危険である、本発明はペーパーロールカット後の、上下可動カッター（切断刃）がトイレットペーパーホルダー側に戻るため安全でありＰＬ法にも心掛けられている。
【０００８】
【発明の実施の形態】
発明の実施の形態を実施例に基づき説明する。
図１において既設のトイレットペーパーホルダー１、蓋２の先端部に両面テープや脱着テープ等で簡単に取り付け可能である、また、蓋２に密着をたかめるため、カッター部本体１１に蓋面、密着用溝１０を設けているので、全てのトイレットペーパーホルダーの蓋面に完全密着できるよう（図２）のように図られている。
【０００９】
トイレットペーパー６をカットする場合、トイレットペーパー切断端部１２を片手で所要の長さ下に引出し、次にトイレットペーパーを上に持ち上げると蓋２が蓋、押さえ板８の働きにより蓋２の持ち上げを防ぎ摩擦部５の抵抗と同時に働き、トイレットペーパー６の回転を阻止する。
【００１０】
トイレットペーパー６の回転が止まると同時に上下可動カッター４も上に持ち上げられ切断可能状態（図３）となり、その片手の状態でトイレットペーパー６を切断することができる。
【００１１】
トイレットペーパー６の切断後、上下可動カッター４は（図２）の摩擦部５の所定の位置に自動的に戻り安全な態勢となる。
【００１２】
トイレットペーパー切断端部１２が次使用時を容易にするために（図３）上下可動カッター４と摩擦部５の長さ（距離）分が蓋２の先端より垂れ下がり、トイレットペーパー６からも離れ次使用時にトイレットペーパー切断端部１２が目視されるので面倒な蓋２の持ち上げが不必要となる。
【００１３】
【発明の効果】
従来のトイレットペーパーホルダーの蓋に簡単に取り付けられ、片手だけでペーパーをカットできカット後も次使用時のペーパーが引き出されているため、手の不自由なかたや一方の手が負傷や何かの都合で塞がっている場合などにも簡単に作業ができる重宝な機能具である。また、健常者の方にも楽に片手でトイレットペーパーをカットできる手軽な装置具である。
【図面の簡単な説明】
【図１】ペーパーカッター機能具の斜視図である。
【図２】
ペーパーカッターの取着断面図である。
【図３】
ペーパーカッターの側面図、及びペーパーカット時を表す図である。
【図４】
トイレットペーパーホルダーの蓋を固定させる機具の斜視図である。
【符号の説明】
１　トイレットペーパーホルダー本体
２　蓋
３　カット部土台
４　上下可動カッター
５　摩擦部
６　トイレットペーパー
７　蓋、押さえ心棒
８　蓋、押さえ板
９　トイレットペーパー芯部
１０　蓋面、密着用溝
１１　カッター部本体
１２　トイレットペーパー切断端部
【図１】
2004065604.tif 000003
【図２】
2004065604.tif 000004
【図３】
2004065604.tif 000005
【図４】
2004065604.tif 000006
(57)【要約】【課題】水性の筆記具を用いても滲みを生じない寄せ書き用クロースの提供。【解決手段】透水性の方形の表布１と、表布の裏面のほぼ全面に湿気を透過し易い熱可塑性樹脂系接着剤を介して貼付された吸湿性の裏布２とを備える。【選択図】　　　　図１
2004065681.tif 000002
【特許請求の範囲】
【請求項１】
透水性の方形の表布と、表布の裏面のほぼ全面に湿気を透過し易い熱可塑性樹脂系接着剤を介して貼付された吸湿性の裏布とを備えることを特徴とする寄せ書き用クロース。
【請求項２】
前記表布における裏面の四隅部に取り付けられた下敷き係止用布切れを備えることを特徴とする請求項１記載の寄せ書き用クロース。
【請求項３】
前記表布に模様及び／又は文字が捺染されていることを特徴とする請求項１又は２記載の寄せ書き用クロース。
【発明の詳細な説明】
【０００１】
【発明の属する技術分野】
本発明は、結婚式や葬儀、還暦祝、金婚式、周年行事等の際の寄せ書き（サイン、揮毫等を含む）に用いる寄せ書き用クロースに関する。
【０００２】
【従来の技術】
従来、この種の寄せ書き用クロースとしては、種々の生地からなる方形の一枚のクロース（布）からなるものが知られている。
【０００３】
【発明が解決しようとする課題】
しかし、従来の寄せ書き用クロースは、吸湿性であるため、サインペンや筆等の水性の筆記具で書き込むと、文字や絵等に滲みを生じる不具合がある。
【０００４】
そこで、本発明は、水性の筆記具を用いても滲みを生じない寄せ書き用クロースを提供することを主課題とする。
【０００５】
【課題を解決するための手段】
前記課題を解決するため、本発明の第１の寄せ書き用クロースは、透水性の方形の表布と、表布の裏面のほぼ全面に湿気を透過し易い熱可塑性樹脂系接着剤を介して貼付された吸湿性の裏布とを備えることを特徴とする。
【０００６】
又、第２の寄せ書き用クロースは、第１のものにおいて、前記表布における裏面の四隅部に取り付けられた下敷き係止用布切れを備えることを特徴とする。
【０００７】
一方、前記表布には、模様及び／又は文字が捺染されていることが好ましい。
【０００８】
【作用】
第１の寄せ書き用クロースにおいては、水性の筆記具によるインク中の水分が接着剤を経て直ちに裏布に吸収される。
【０００９】
表布としては、ポリエステル生地からなる縮緬風のものが望ましい。
熱可塑性樹脂系接着剤としては、ポリアミド接着剤が用いられ、予め、裏布に付着されていることが望ましい。
裏布としては、綿を主とするポリエステルとの混紡織物からなるものが望ましい。
【００１０】
又、第２の寄せ書き用クロースにおいては、第１のものによる作用の他、厚紙等の下敷きの係止が可能となる。
【００１１】
下敷き係止用布切れとしては、表布の隅部を覆う三角形状のもの、あるいは隅部の隣り合う辺に跨がる台形テープ形状のものが望ましい。
【００１２】
一方、表布に模様及び／又は文字が捺染されていることにより、寄せ書き用クロースを各種の行事に相応しいものとすることが可能となる。
【００１３】
【発明の実施の形態】
以下、本発明の実施の形態について図面を参照して説明する。
図１、図２は本発明に係る寄せ書き用クロースの実施の形態の一例を示す表面図、裏面図である。
【００１４】
この寄せ書き用クロースは、葬儀の際に故人への惜別の言葉を会葬者に寄せ書きしてもらうためのもので、縮緬風のポリエステル生地からなり、表面中央部に葬礼に相応しい模様Ｄを捺染した透水性の方形（たとえば、３１ｃｍ×４４ｃｍ）の表布１と、綿を主とするポリエステルとの混紡織物からなり、表布１の裏面のほぼ全面に湿気を透過し易い熱可塑性樹脂系接着剤としてのポリアミド接着剤（図示せず）を介して貼付された吸湿性の裏布２と、厚紙等の下敷き（図示せず）の係止を可能にするため、表布１における裏面の四隅部に縫い付けられた三角形状の下敷き係止用布切れ３とを備えて構成されている。
【００１５】
上記構成の寄せ書き用クロースは、表布１の表面中央部に模様Ｄを捺染した後、予めポリアミド接着剤が付着されている裏布２を表布１の裏面にアイロン等を用いて接着し、しかる後に、表布１における裏面の四隅部に、テープを三角形状に折り畳んでなる下敷き用係止布切れ３をそれぞれ縫い付けて製造されるものであり、かつ、その使用に際しては、四隅部の下敷き用係止布切れ３に、表布１とほぼ同等の大きさの厚紙等の下敷き（図示せず）の四隅部を係合させ、水性の筆記具（図示せず）を用いて、宗教者や会葬者による故人への惜別の言葉が、表布１の表面に書き込まれるものである。
【００１６】
なお、上述した実施の形態においては、表布１における裏面の四隅部に下敷き係止用布切れ３を取り付ける場合について説明したが、これに限定されるものではなく、下敷き係止用布切れ３を取り付けないものであってもよい。
又、下敷き係止用布切れ３は、三角形状のものに限らず、表布１における裏面の隅部の隣り合う辺に跨がる台形テープ状のものであってもよく、それらの取り付けは、縫い付けでも接着剤による接着でもよい。
更に、表布１の表面に模様Ｄを捺染する場合に限らず、文字又は模様Ｄと文字の両方を捺染するようにしてもよいし、あるいは模様Ｄを捺染しなくてもよい。
更に又、寄せ書き用クロースは、葬儀に用いる場合に限らず、結婚式や金婚式、還暦祝、周年行事、その他の行事に用いてもよい。これらの場合、表布１の表面には、それぞれの行事に相応しい模様Ｄ等が捺染されていることが望ましい。
【００１７】
【発明の効果】
以上説明したように、本発明の第１の寄せ書き用クロースによれば、水性の筆記具によるインク中の水分が接着剤を経て直ちに裏布に吸収されるので、水性の筆記具を用いても滲みを生じることがない。
【００１８】
又、第２の寄せ書き用クロースによれば、第１のものによる作用効果の他、厚紙等の下敷きの係止が可能となるので、水性の筆記具による書き込みを円滑に行うことができる。
【００１９】
一方、表布に模様及び／又は文字が捺染されていることにより、寄せ書き用クロースを各種の行事に相応しいものとすることが可能となるので、その価値を高めることができる。
【図面の簡単な説明】
【図１】本発明に係る寄せ書き用クロースの実施の形態の一例を示す表面図である。
【図２】図１の寄せ書き用クロースの裏面図である。
【符号の説明】
１　表布
２　裏布
３　下敷き係止用布切れ
Ｄ　模様
【図１】
2004065681.tif 000003
【図２】
2004065681.tif 000004
(57)【要約】【課題】沈静的な作用を持ち、人体に好影響を及ぼすマイナス空気イオンを、積極的に利用した団扇又は扇子を提供する。【解決手段】トルマリン微粒子及び竹炭の少なくとも一方と、バインダーとを有する塗工層が形成された地紙を備えた団扇又は扇子である。【選択図】なし【特許請求の範囲】
【請求項１】
地紙に、トルマリン微粒子及び竹炭の少なくとも一方と、バインダーとを有する塗工層が形成され、この地紙を備えたことを特徴とする団扇又は扇子。
【請求項２】
トルマリン微粒子及び竹炭の少なくとも一方と、合成樹脂バインダーとの固形分重量比が、１：１．３〜１．６であり、地紙基材に対して、塗工量として１．０〜８．０ｇ／ｍ３（固形分）で塗工されている請求項１記載の団扇又は扇子。
【発明の詳細な説明】
【０００１】
【発明の属する技術分野】
本発明は、トルマリン微粒子、竹炭の一方又は両方を含む塗工液が地紙に塗工された団扇又は扇子に関する。
【０００２】
【従来の技術】
トルマリン鉱石は、極性結晶体の結晶構造を有しており、結晶の単位格子のプラス電荷の中心と、マイナス電荷の中心が本来位置すべき位置から大きくズレているため、対称する結晶の両端に電極を作り、電位が永久に保持され、永久電極を保持することが知られている。この永久電極が空気中の水分に接すると、ヒドロキシルイオンを生成し、空気がマイナス空気イオンとなることが知られている。このマイナス空気イオンは沈静的な作用を持ち、人体に好影響を及ぼすと言われており、そこで、繊維に混入される試みなどが行われている。
【０００３】
【発明が解決しようとする課題】
したがって、本発明の主たる課題は、沈静的な作用を持ち、人体に好影響を及ぼすマイナス空気イオンを、積極的に利用した団扇又は扇子を提供することにある。
【０００４】
【課題を解決するための手段】
上記課題に対して、本発明は次記の構成を提供するものである。
【０００５】
＜請求項１項記載の発明＞
地紙に、トルマリン微粒子及び竹炭の少なくとも一方と、バインダーとを有する塗工層が形成され、この地紙を備えたことを特徴とする団扇又は扇子。
【０００６】
＜作用効果＞
マイナス空気イオンを発生（自発）する団扇又は扇子を使用すると、マイナス空気イオンが発生する風に乗って、人体側に移動し、人体の周囲をマイナス空気イオン雰囲気下に置くので、人体に好影響を及ぼす効果が顕著に現れる。一方、マイナス空気イオンを発生させる材料を紙基材（地紙）に含有させることも考えられるが、本発明者の知見によれば、団扇又は扇子からのマイナス空気イオンの人体への移行量は極めて少なく、本発明に従って、地紙表面に塗工層として形成するものが最適である。このように、マイナス空気イオンを発生させる材料利用の層を積極的に団扇又は扇子として適用することで、人体への影響の程度が高まり、また、使用者にとっても、そもそも携帯の便に優れるものであるから、使用場所を問わずに使用（利用）可能である利点がある。
【０００７】
＜請求項２項記載の発明＞
トルマリン微粒子及び竹炭の少なくとも一方と、合成樹脂バインダーとの固形分重量比が、１：１．３〜１．６であり、地紙基材に対して、塗工量として１．０〜８．０ｇ／ｍ３（固形分）で塗工されている請求項１記載の団扇又は扇子。
【０００８】
＜作用効果＞
上記の条件であると、マイナス空気イオンの発生が十分であり、かつ塗工層として、十分なバインダー量であるために、地紙基材から剥離なく塗工でき、また、過度の塗工量を避けることができる。
【０００９】
【発明の実施の形態】
以下本発明の実施の形態をさらに詳説する。
本発明は、団扇又は扇子を対象とする。これらは、公知の手順によって製造できるので、製造工程の説明は省略する。
【００１０】
本発明では、地紙に、トルマリン微粒子及び竹炭の少なくとも一方と、バインダーとを有する塗工層を形成する。したがって、塗工層には、トルマリン微粒子及び竹炭の両者を含有させてもよいし、その一方でもよい。特に、トルマリン微粒子を使用するのが望ましい。トルマリン微粒子の平均粒径は、０．１〜８０μｍ、特に０．５〜２０μｍが望ましい。
【００１１】
バインダーとしては、アクリル系合成樹脂、ＥＶＡ系樹脂、塩化ビニル系樹脂、ウレタン系樹脂などを使用できる。特に、アクリル系合成樹脂が望ましい。
【００１２】
トルマリン微粒子及び竹炭の少なくとも一方からなるマイナス空気イオンの発生材料と、合成樹脂バインダーとの固形分重量比は、１：１．３〜１．６が望ましい。また、地紙基材に対する塗工量としては、１．０〜８．０ｇ／ｍ３（固形分）が望ましい。
【００１３】
具体的には、マイナス空気イオンの発生材料は、地紙基材に対する量としては、１．５〜４．０ｇ／ｍ３（固形分）であることが望ましい。マイナス空気イオンの発生材料の量が少ないと、その効果が十分でなく、また、過度に多いと、効果が飽和するとともに、団扇又は扇子における地紙としての違和感を与える。
【００１４】
本発明に係る地紙は下記のようにして得ることができる。
【００１５】
市販のトルマリン微粒子を約２０％含有するアルコール分散液と、たとえば市販の目止め用ワニスとを、たとえば１：１で混合して塗工液を得る。ワニスとしては、バインダーとしての合成樹脂を１５〜２５％、エチルアルコール１０〜２０％、水４０〜５０、顔料１〜１５％の配合のものを使用できる。顔料としては、炭酸カルシウム、クレー、カオリンなどを使用できる。
【００１６】
塗工液は、凸版印刷機、オフセット、グラビア等の印刷機、およびコーター機などで塗工できる。塗工は、全面塗工のほか、ストライプなどの適宜の模様をもっても塗工できる。
【００１７】
塗工後は、熱風にて乾燥し、塗工原紙を巻き取り、塗工原紙を平板原紙に加工し、平板原紙にオフセット印刷で団扇の表裏の図柄を印刷し、印刷した平板原紙から表裏に使用する扇状の地紙を型抜きし、うちわ自動貼り機に地紙と骨をセットして団扇を製作するなどの工程を経る。
【００１８】
【発明の効果】
以上のとおり、本発明によれば、沈静的な作用を持ち、人体に好影響を及ぼすマイナス空気イオンを、積極的に利用した団扇又は扇子を得ることができる。
(57)【要約】【課題】火災の発達状況及び消火状況により最適なミストを発生させて効率的に消火を行うことにより、水損が最小限になるウオーターミスト消火設備の構築を可能にするウオーターミスト消火設備を得る。【解決手段】火災の規模によりミストの性状を変化させる，つまり火災の規模が大きいときには火災の立ち上がりによる上昇気流に負けないようにミストの粒子径を大きく流速も速くなるように気体量及び液体量を多くし、火災の規模が小さいときにはミストの粒子径を小さくなるように液体量を少なくして、消火するようにしてなる。【選択図】　　　　図１
2004065332.tif 000002
【特許請求の範囲】
【請求項１】
火災の規模によりミストの性状を変化させる，つまり火災の規模が大きいときには火災の立ち上がりによる上昇気流に負けないようにミストの粒子径を大きく流速も速くなるように気体量及び液体量を多くし、火災の規模が小さいときにはミストの粒子径を小さくなるように液体量を少なくして、消火するようにしたことを特徴とするウオーターミスト消火設備。
【発明の詳細な説明】
【０００１】
【発明の属する技術分野】
この発明はウオーターミスト消火設備に関するものである。
【０００２】
【発明が解決しようとする課題】
共同住宅などでスプリンクラー消火設備が作動した場合、火災によって作動放水されたスプリンクラーの大量の水による二次的被害が問題になっている。
そこで、この水損対策として、最近ではウオーターミスト消火設備が研究され、少量の水による消火が検討されている。しかしながら、ウオーターミスト消火設備はミストの粒子径や流速，密度によって消火性状が大きく変わるために、実用的なウオーターミスト消火設備の構築が困難なものとなっている。
【０００３】
【課題を解決するための手段】
この発明に係るウオーターミスト消火設備はかかる点に鑑みてなされたもので、火災の発達状況及び消火状況により最適なミストを発生させて効率的に消火を行うことにより、水損が最小限になるウオーターミスト消火設備の構築を可能にする。
【０００４】
【発明の実施の形態】
この発明の一実施の形態を図１について説明する。図１は設備全体を示す概略図である。
【０００５】
図において、１は防護区画、２は防護区画１に設けたウオーターミストノズル、３はウオーターミストノズル２に空気又は不活性ガスを供給する空気又は不活性ガス供給配管、４は空気又は不活性ガス供給配管３に設けた流量調節弁、５はウオーターミストノズル２に水又は消火薬剤を供給する水又は消火薬剤供給配管、６は水又は消火薬剤供給配管５に設けた流量調節弁、７は防護区画１に設けた熱検出器、８は防護区画１に設けた火災状況監視カメラ、９は制御盤で、熱検出器７及び火災状況監視カメラ８からの各種信号により各流量調節弁４，６を制御する。
【０００６】
今、防護区画１内で火災が発生すると、火災状況監視カメラ８から火災状況が画像として制御盤９に入ると共に熱検出器７からも火災状況が数字として制御盤９に入るので、制御盤９ではこれらの各入力データから火災規模を計算し、そのときの火災規模に適したミストになるように予めプログラム化された気体量及び液体量となるように各流量調節弁４，６を制御する。
【０００７】
つまり、火災の規模が大きいときには火災の立ち上がりによる上昇気流に負けないようにミストの粒子径を大きく流速も速くなるように気体量及び液体量を多くし、火災の規模が小さいときにはミストの粒子径を小さくなるように液体量を少なくする。このことにより粒子径の小さいミストはミスト特有の力を発揮できる。よって、ウオーターミストノズル２からの放射が直接かからない部分の火災にミストが運ばれ有効に消火できる。
【０００８】
このように火災状況監視カメラ８及び熱検出器７から逐一入る火災状況に合わせて各流量調節弁４，６を制御することにより、火災の発達状況及び消火状況により最適なミストを発生させることができるので、効率的なミスト消火が可能になり，ひいては水損が最小限になる。
【０００９】
上記実施の形態において、各流量調節機構を、ウオーターミストノズル２本体に一体的に設けることも可能である。
【００１０】
なお、以上の説明では二流体のウオーターミストノズル２について述べたが、一流体のウオーターミストノズルにおいても放射圧力を変化させることによりミストの性能を変えることができるので、二流体と同様にして同様の効果が得られることは勿論である。
【００１１】
【発明の効果】
以上のように、この発明によれば火災の発達状況及び消火状況により最適なミストを発生させて効率的な消火が行えるので、水損が最小限になるウオーターミスト消火設備の構築が可能になるという効果が得られる。
【図面の簡単な説明】
【図１】この発明の一実施の形態を示す概略図である。
【符号の説明】
１　防護区画
２　ウオーターミストノズル
３　空気又は不活性ガス供給配管
４　流量調節弁
５　水又は消火薬剤供給配管
６　流量調節弁
７　熱検出器
８　火災状況監視カメラ
９　制御盤
【図１】
2004065332.tif 000003
(57)【要約】【課題】肘受けに、患者が座った時に握ることのできる握り部材を有し、歯科治療に際し、患者は、この握り部材を握ることにより、緊張感や不安感を和らげることができる。【解決手段】肘受け１６を有する歯科治療椅子において、該肘受け１６の前部、上部、又は、側部に、患者が椅子に座った状態で、握ることのできる握り部材２０を一体的に又は着脱自在に有する。【選択図】　　　　図１
2004065517.tif 000002
【特許請求の範囲】
【請求項１】
肘受けを有する歯科治療椅子において、該肘受けの前部、上部、又は、側部に、患者が椅子に座った状態で、握ることのできる握り部材を有することを特徴とする歯科治療椅子。
【請求項２】
前記握り部材は、前記肘受けに対して着脱自在であることを特徴とする請求項１に記載の歯科治療椅子。
【請求項３】
前記肘受けは、前記握り部材を取り付ける箇所を複数有し、所望の取り箇所を選択して前記握り部材を取り付けるようにしたことを特徴とする請求項２に記載の歯科治療椅子。
【発明の詳細な説明】
【０００１】
【発明の属する技術分野】
本発明は、歯科治療椅子、より詳細には、肘受けに、患者が座った時に握ることのできる握り部材を有し、歯科治療に際し、患者がこの握り部材を握ることにより、緊張感や不安感を和らげることができるようにした歯科治療椅子に関する。
【０００２】
【従来の技術】
図３は、本発明が適用される歯科治療椅子を有する歯科用治療ユニットの一例を示す全体構成図で、該歯科用治療ユニットは、治療椅子１，ワークテーブル２，スピットン３，無影灯４，インスツルメントホルダー５，フットコントローラ６，アシスタント用インスツルメントホルダー７等から成り、インスツルメントホルダー５には、歯科治療において使用する種々のインスツルメント８が収納されており、周知のように、歯科治療に当たり、患者は歯科治療椅子１に座り、頭を安頭第１１に固定し、一般的には、腕を肘受け１６に乗せて治療を受ける。治療中、術者は治療椅子１を上下動，起倒，傾斜動等させて、患者を治療しやすい姿勢にして治療を行う。
【０００３】
【発明が解決しようとする課題】
歯科治療椅子１は、通常、図示のように、安頭台１１，バックレスト１２，コンターシート１３，レッグレスト１４，フットレスト１５，肘受け１６等を有し、歯科治療に当り、患者は、歯科治療椅子１に座り、頭を安頭台１１に固定し、肘（腕）を肘受け１６の上に乗せて治療を受けるが、その際、患者は、少なからず緊張し、不安感を覚える。
【０００４】
本発明は、歯科治療に際しての上述のごとき患者の緊張や不安感を和らげることを目的としてなされたものである。
【０００５】
【課題を解決するための手段】
請求項１の発明は、肘受けを有する歯科治療椅子において、該肘受けの前部、上部、又は、側部に、患者が椅子に座った状態で、握ることのできる握り部材を有することを特徴としたものである。
請求項２の発明は、請求項１の発明において、前記握り部材は、前記肘受けに対して着脱自在であることを特徴としたものである。
請求項３の発明は、請求項２の発明において、前記肘受けは、前記握り部材を取り付ける箇所を複数有し、所望の取り箇所を選択して前記握り部材を取り付けるようにしたことを特徴としたものである。
【０００６】
【発明の実施の形態】
図１は、本発明による歯科治療椅子の一実施例を説明するための要部概略構成図で、図中、１１は安頭台，１２はバックレスト，１３はコンターシート，１４はレッグレスト，１５はフットレスト，１６は肘受けで、該治療椅子は、図３に示した治療椅子１と同様，患者が椅子に座った状態で、上下動，起倒，傾動させて歯科治療を行うが、その際、患者は、前述のように、肘を肘受け１６に乗せて治療を受ける。しかし、治療を受ける患者は、少なからず緊張しており、また、不安感がある。
【０００７】
本発明は、上述のごとき患者の不安感を和らげることを目的としてなされたもので、図１において、２０はそのための握り部材である。この握り部材２０は、肘受け１６の先端部又は上部又は外側部に一体的又は着脱自在に設けられており、患者は、治療椅子１に座った後、腕を肘受け１６に乗せ、その状態で該握り部材２０を握り、その感触を楽しむことによって、緊張感や不安感を和らげることができる。握り部材２０としては、例えば，ゲル状のボール様の物で、触ったり、握ったりすることで、気持ちの良いものを用いる。材質は肘受けと同じでもよいし、異なる材料でもよく、異なる材質の場合は、例えば、螺着等により着脱自在に取り付けるようにする。また、取り付け位置も、患者が子供等の場合は、手が届くように手前側に取り付ける必要があるので、肘受けに複数の取り付け部を設けておき、患者に応じて取り付け位置を変えるようにしてもよい。その場合は、使用しない位置の取り付け用の螺子孔は、盲蓋をするようにしておく。また、握り部材は、球状体に限らず、例えば、下部に螺子を有する人形等、任意所望の形状のものとすることができる。
【０００８】
図２は、肘受けの握り部材取り付け部の構造（図２（Ａ））と握り部材との取り付け構造（図２（Ｂ））とを示す図で、肘受けには、図２（Ａ）に示すように、複数の握り部材取り付け用螺子孔１７１，１７２，１７３，１７４等が設けられており、図示例の場合、取り付け用螺子孔１７１，１７３，１７４等は盲蓋１８１，１８３，１８４によって目隠しされており、取り付け用螺子孔１７２には握り部材２０の螺子２０ａが螺着されている。
【０００９】
【発明の効果】
以上の説明から明らかなように、本発明によると、歯科治療を受ける患者の緊張感や不安感を和らげることができ、患者はリラックスした気分で歯科治療を受けることができる。また、患者が小児の場合、術者が子供（患者）とのコミュニケーションをとる手段として利用することができる。
【図面の簡単な説明】
【図１】本発明による歯科治療椅子の一実施例を説明するための要部構成図である。
【図２】本発明による肘受けと、該肘受けに取り付ける握り部材との例を示す図である。
【図３】本発明が適用される歯科治療椅子を有する歯科治療ユニットの一例を説明するための図である。
【符号の説明】
１…歯科治療椅子、１１…安頭台、１２…バックレスト、１３…コンターシート、１４…レッグレスト、１５…フットレスト、１６…肘受け、１７１〜１７４握り部材取り付け用螺子孔、１８２，１８３，１８４…盲蓋、２０…握り部材、２０ａ…螺子。
【図１】
2004065517.tif 000003
【図２】
2004065517.tif 000004
【図３】
2004065517.tif 000005
(57)【要約】【課題】トルマリンの特性を利用して首、肩の血行を促し、首のツボを押圧、マッサ−ジして首、肩のこりを原因とする難聴、耳鳴り、頭痛等を治療するマッサ−ジ器具を提供することを目的とする。【解決手段】略長方形の平ゴムの内壁に、身体のツボに当接する位置に合わせて、トルマリン微粒子を含有する合成樹脂材製の突起を取り付け、平ゴムの両端にグリップを取り付けるのである。トルマリンの特性により首、肩の血行を良くして内耳への血流を促し、酸素や栄養を十分に補給して耳の感音系機能を正常化し、耳鳴りを伴う難聴を改善する。更に突起で首のツボを押圧マッサ−ジし、首、肩のこりをほぐすのである。【選択図】　図１
2004065518.tif 000002
【特許請求の範囲】
【請求項１】
略長方形の平ゴムの内壁に、身体のツボに当接する位置に合わせて、トルマリン微粒子を含有する突起を取り付け、
平ゴムの両端にグリップを取り付けたことを特徴とするツボ押圧器具。
【発明の詳細な説明】
【０００１】
【発明の属する技術分野】
この発明は首、肩のこりをほぐし、耳の血行を促して身体の疾患を改善する磁気を使用したツボ押圧器具に関するものである。
【０００２】
【従来の技術】
健康器具の中には磁気を利用した血行促進を図るもの、指圧効果を期待したツボマッサージ器具等があるが、両方、即ち血行促進とツボマッサージとの相乗効果を奏する健康器具はない。たとえば、磁気だけを使用した耳介健康器具として特願平４−９７５１７号がある。これは耳の前面におけるツボの位置に当接或いは近接する部位に磁石を配置して身体の各部に刺激を与え、良好な状態に維持するものである。
【０００３】
【発明が解決しようとする課題】
首、肩の筋肉が緊張して凝っていることを原因とする難聴、耳鳴りが最近若年層に増加してきている。特に急に発症する突発性難聴は内耳の血流を良くし、首、肩の筋肉のこりを取り除くことで直すことができる。しかし、凝っている首，肩をむやみに手でもむのは得策ではなく、こりをすばやく取るには後ろ首にあるツボを刺激するほうが有効である。そこで、本発明ではトルマリンの特性を利用して首、肩の血行を促進すると共にツボをマッサージして首、肩のこりを解消し、難聴や耳鳴り、頭痛を治療するツボ押圧器具の提供を目的としている。
【０００４】
【課題を解決するための手段】
後ろ首の形状に合わせて湾曲させた略長方形の平ゴムの内壁に、後ろ首のツボの位置に当接するようにトルマリン微粒子を含有する突起を取り付けると共に両端に、グリップを取り付けるのである。
【０００５】
以下、本発明がどのように作用して難聴、耳鳴りを解消するかを説明するが、その前に、首、肩のこりと難聴等の関連性及びツボ刺激によるこりの解消方法について説明する。
【０００６】
最近、小中学生から、４０代後半まで、年齢が若い人の感音性難聴、耳鳴りが増えており、その多くが、急に起こる突発性難聴である。これらの患者の多くは猫背や首の運動不足で首、肩が凝っている人が多い。首、肩の筋肉が硬く凝ると椎骨動脈と呼ばれる血管が圧迫され、耳の一番奥にある内耳部分の血流が悪くなる。すると、感音系の機能が乱れて難聴、耳鳴りが起こるのである。そこで、首、肩の筋肉のこりを取り除いて内耳の血流を良くするのである。
【０００７】
又、トルマリンは結晶内に永久電極を持ち、光や温度、圧力、摩擦等に反応してマイナスイオン、遠赤外線、微弱電流等を半永久的に放出し続ける石であって、細胞の活性化、温熱効果を奏する。このトルマリン由来の性質を利用して人体に良好な影響を与えるのである。
【０００８】
ところで図３は首の後ろにあるツボの位置を示したものである。「風府」のツボ１０は内耳や後頭部の血流を促す重要なツボである。ヒト８の後ろ首９の中央にあるくぼみの上方で髪の生え際から親指幅一本分（約２センチ）頭頂部へ寄ったところにある。
【０００９】
「天柱」のツボ１２は後ろ首の中央にあるくぼみから左右外側へ人差し指幅二本分寄った髪の生え際にあり、押すと痛みがある場所である。
【００１０】
「風池」のツボ１１は天柱のツボから左右外側へ人差し指幅二本分寄り、さらに頭頂部へ人差し指幅一本分上がったくぼみにある。
【００１１】
本発明による「磁気を使用したツボ押圧器具」は磁気により血流を良くし、さらに上述のツボに突起を当接し、平ゴムを前後させて首のツボを刺激し、首、肩のこりを解消するのである。
【００１２】
【発明の実施の形態】
図１が本発明に係るツボ押圧器具１の斜視図である。平ゴム２を首の背面に当接するように湾曲させて形成し、両端２ａに取り付け具４を介して左右のグリップ３−３を取り付け固定する。グリップ３の内側は手指で握りやすいように波型の凹凸を付けても良い。湾曲させた平ゴム２の内壁２ｂに５箇所ツボ押圧用の突起を取り付ける。この突起はトルマリン微粒子を含有する合成樹脂材製である。当該突起はその他、トルマリンを含む塗料を塗布したトルマリン塗膜層を有するものであってもよい。平ゴム２の中央上部に風府のツボ１０に当接する突起５を、両側端中央に風池１１のツボに当接する突起７−７を、下方の中心線を挟んだ両横に天柱のツボ１２に当接する突起６−６を取り付けるのである。ツボ押圧器具１を首の後ろへ回して、突起５、６、７をそれぞれのツボに当接したままグリップ３を左右の手で把持し前後へ動かしてツボを刺激、マッサージするのである。マッサ−ジすることで更にトルマリンが反応を起こし、マイナスイオンを発生させ、人体に良好な影響を与えるのである。
【００１３】
本発明は首用に形成されているが平ゴムのサイズや形状及び突起の数や取り付け位置を変更することで、身体のどの場所にも応用可能である。
【００１４】
図４は前述の首用のツボ押圧器具１のサイズを大きくして腰、背中用に形成したツボ押圧器具１３の斜視図である。略長方形の平ゴム１４の内壁１４ａにトルマリン微粒子を含有する合成樹脂材から成るツボ押圧用突起１７を数カ所取り付けるのである。ツボ押圧器具１３を背中へ回し、突起１７を腰や背中のツボに当接させた後、グリップ１６―１６を左右の手で把持して前後に動かしてツボに刺激を与え、マッサージするのである。
【００１５】
【発明の効果】
トルマリンの細胞活性化、温熱効果により首、肩の血行を良くし、内耳への血流を促して酸素や栄養を十分に補給し、耳の感音系機能を正常化し、耳鳴りを伴う難聴を改善する。
【００１６】
後ろ首のツボを刺激し、首、肩のこりをほぐし、内耳への血流を促進する。
【００１７】
難聴や耳鳴りに伴って起こる後頭部のこりや痛みを取り除き、集中力を高める。
【００１８】
ゴムの弾性を利用して両手でグリップを動かしてツボを押圧、マッサージするので手もみよりも効率が良く疲れにくい。
【図面の簡単な説明】
【図１】首のツボ押圧器具の斜視図。
【図２】同、正面図。
【図３】後ろ首のツボの位置を示す説明図。
【図４】腰、背中用ツボ押圧具の斜視図。
【符号の説明】
１、首のツボ押圧器具　　２、平ゴム　　３、グリップ　　４、取り付け具５、６、７、トルマリン微粒子を含有する合成樹脂材から成る突起
【図１】
2004065518.tif 000003
【図２】
2004065518.tif 000004
【図３】
2004065518.tif 000005
【図４】
2004065518.tif 000006